(57)【要約】      （修正有）【課題】再封機能を有していることを消費者にアピールすることができるスパウトを提供する。【解決手段】スパウト３０は、容器１０に取り付けられる筒部３２であって、容器１０の収容部１４に連通する貫通孔を画定する内面を有する、筒部３２と、薄肉部３８を介して筒部３２の上端部に連結されたキャップ部４０と、を備えている。薄肉部３８が破断されることによってキャップ部４０が筒部３２から分離された状態において、筒部３２は、容器１０の収容部１４に収容された流動性を有する内容物を注出するための注出口を構成する。この筒部３２の内面には、第１の螺条が形成されており、またキャップ部４０の外面には、筒部３２の第１の螺条に係合する第２の螺条４３が形成されている。【選択図】図１
2016088614.tif 000002
【特許請求の範囲】
【請求項１】
容器に取り付けられ、容器の収容部に収容された流動性を有する内容物を注出するための注出口を構成するスパウトであって、
前記容器に取り付けられる筒部であって、前記容器の前記収容部に連通する貫通孔を画定する内面を有する、筒部と、
薄肉部を介して前記筒部の上端部に連結されたキャップ部と、を備え、
前記薄肉部が破断されることによって前記キャップ部が前記筒部から分離された状態において、前記筒部は、前記注出口を構成し、
前記筒部の前記内面には、第１の螺条が形成されており、
前記キャップ部の外面には、前記筒部の前記第１の螺条に係合する第２の螺条が形成されている、スパウト。
【請求項２】
前記キャップ部の前記外面に接続された摘み部をさらに備える、請求項１に記載のスパウト。
【請求項３】
前記キャップ部のうち前記摘み部が接続される部分を接続部と称する場合、前記接続部は前記キャップ部の前記螺条よりも前記筒部から遠い位置にある、請求項２に記載のスパウト。
【請求項４】
前記キャップ部のうち前記摘み部が接続される部分を接続部と称する場合、前記接続部は前記キャップ部の前記螺条よりも前記筒部から近い位置にある、請求項２に記載のスパウト。
【請求項５】
流動性を有する内容物が収容される収容部を有する容器と、
前記容器に取り付けられ、前記容器の前記収容部に収容された内容物を注出するための注出口を構成するスパウトと、を備え、
前記スパウトは、
前記容器に取り付けられる筒部であって、前記容器の前記収容部に連通する貫通孔を画定する内面を有する、筒部と、
薄肉部を介して前記筒部の上端部に連結されたキャップ部と、を備え、
前記薄肉部が破断されることによって前記キャップ部が前記筒部から分離された状態において、前記筒部は、前記注出口を構成し、
前記筒部の前記内面には、第１の螺条が形成されており、
前記キャップ部の外面には、前記筒部の前記第１の螺条に係合する第２の螺条が形成されている、スパウト付き容器。
【発明の詳細な説明】
【技術分野】
【０００１】
本発明は、容器に取り付けられる筒部と、薄肉部を介して筒部の上端部に連結されたキャップ部と、を備えたスパウトに関する。また本発明は、スパウトが取り付けられたスパウト付き容器に関する。
【背景技術】
【０００２】
自立性袋、ガゼット型袋等の種々の形態からなる、プラスチック製の軟包装材から構成された容器（以下、パウチとも称する）が知られている。
【０００３】
特に近年、これらのパウチにおいては、その開封を容易にし、かつ内容物の飲料を容易に、あるいは、内容物を注ぎやすくするために、パウチの上部にスパウトを取り付けてなるスパウト付きパウチが提案されている。スパウトは、パウチの内部に連通する貫通孔が形成された筒部を有している。また、パウチ内の内容物を一度では使い切らないような用途の場合、スパウトは、筒部の貫通孔を封止するキャップ部が脱着され得るように構成されている。例えば特許文献１〜３は、容易に破断可能な薄肉部を介して筒部の上端部に連結されたキャップ部をさらに備えたスパウトを開示している。
【先行技術文献】
【特許文献】
【０００４】
【特許文献１】特開平１０−２３０９５７号公報
【特許文献２】実開平６−６５２４２号公報
【特許文献３】実用新案登録第２５５４９２４号公報
【発明の概要】
【発明が解決しようとする課題】
【０００５】
上述の特許文献１〜３に開示されているスパウトにおいて、キャップ部および筒部は、キャップ部を筒部に被せることによって筒部の貫通孔が封止されるよう、構成されている。例えば、キャップ部の内部には、キャップ部の軸方向に沿って延びる栓部材が設けられている。そして、キャップ部を筒部に被せる際に栓部材が筒部の貫通孔に挿入されることによって、筒部が封止される。一方、このようなキャップ部においては、封止状態にあるパウチが倒れたり、パウチに振動が加えられたりすると、筒部の貫通孔からキャップ部の栓部材が抜け落ちてしまい、これによって内容物が漏れ出てしまうことが考えられる。このような問題を解決するため、特許文献１に開示されているように、筒部の外面に雄ねじを形成し、かつキャップ部の内面に、筒部の雄ねじにねじ込まれる雌ねじを形成することが考えられる。
【０００６】
ところで、スーパーマーケットや薬局等の小売店において、スパウト付きパウチは一般には、筒部の上端部に連結されたキャップ部が上方に位置する状態で陳列される。この場合、消費者の注意を最も集めやすいのは、スパウトのキャップ部であると考えられる。一方、上述のように特許文献１に開示されているスパウトにおいて、雌ねじはキャップ部の内面に形成されており、このためキャップ部の雌ねじの存在は消費者に認識されにくいと考えられる。また特許文献１においてはキャップ部の内部に栓部材が設けられており、このため、消費者がキャップ部の内面の雌ねじを認識することが栓部材によって妨げられると考えられる。このため、特許文献１に記載のスパウトにおいては、キャップ部に雌ねじが設けられているということ、すなわちスパウトが安定した再封機能を有しているということが消費者に認識され難いと考えられる。
【０００７】
本発明は、このような点を考慮してなされたものであり、スパウトに再封機能を持たせることと、スパウトが再封機能を有していることを消費者にアピールすることとを両立させることができるスパウトを提供することを目的とする。
【課題を解決するための手段】
【０００８】
本発明は、容器に取り付けられ、容器の収容部に収容された流動性を有する内容物を注出するための注出口を構成するスパウトであって、前記容器に取り付けられる筒部であって、前記容器の前記収容部に連通する貫通孔を画定する内面を有する、筒部と、薄肉部を介して前記筒部の上端部に連結されたキャップ部と、を備え、前記薄肉部が破断されることによって前記キャップ部が前記筒部から分離された状態において、前記筒部は、前記注出口を構成し、前記筒部の前記内面には、第１の螺条が形成されており、前記キャップ部の外面には、前記筒部の前記第１の螺条に係合する第２の螺条が形成されている、スパウトである。
【０００９】
本発明によるスパウトは、前記キャップ部の前記外面に接続された摘み部をさらに備えていてもよい。
【００１０】
本発明によるスパウトにおいて、前記キャップ部のうち前記摘み部が接続される部分を接続部と称する場合、前記接続部は前記キャップ部の前記螺条よりも前記筒部から遠い位置にあってもよい。若しくは、前記接続部は前記キャップ部の前記螺条よりも前記筒部から近い位置にあってもよい。
【００１１】
本発明は、流動性を有する内容物が収容される収容部を有する容器と、前記容器に取り付けられ、前記容器の前記収容部に収容された内容物を注出するための注出口を構成するスパウトと、を備え、前記スパウトは、前記容器に取り付けられる筒部であって、前記容器の前記収容部に連通する貫通孔を画定する内面を有する、筒部と、薄肉部を介して前記筒部の上端部に連結されたキャップ部と、を備え、前記薄肉部が破断されることによって前記キャップ部が前記筒部から分離された状態において、前記筒部は、前記注出口を構成し、前記筒部の前記内面には、第１の螺条が形成されており、前記キャップ部の外面には、前記筒部の前記第１の螺条に係合する第２の螺条が形成されている、スパウト付き容器である。
【発明の効果】
【００１２】
本発明において、薄肉部を介して筒部の上端部に連結されたキャップ部の外面には、筒部の内面に形成された第１の螺条に係合する第２の螺条が形成されている。このため、キャップ部が筒部から分離される前の状態のスパウトが取り付けられたスパウト付き容器が小売店に陳列されているとき、キャップ部の第２の螺条に消費者の注意を集めることができる。これによって、スパウトが安定した再封機能を有しているということをより確実に消費者に認識させることができる。
【図面の簡単な説明】
【００１３】
【図１】図１は、本発明の実施の形態において、スパウトが取り付けられたスパウト付き容器を示す正面図。
【図２】図２（ａ）は、図１に示すスパウトを拡大して示す正面図、図２（ｂ）は、摘み部を通る平面においてスパウトを切断した場合を示す部分縦断面図、図２（ｃ）は、筒部から分離された後のキャップ部を筒部の貫通孔に挿入した状態を示す図、図２（ｄ）は、スパウトの内部構造を示す部分破断図。
【図３】図３は、容器を構成するフィルムの層構成の一例を示す断面図。
【図４】図４（ａ）は、本発明の実施の形態の第１の変形例によるスパウトを示す正面図、図４（ｂ）は、摘み部を通る平面においてスパウトを切断した場合を示す部分縦断面図、図４（ｃ）は、筒部から分離された後のキャップ部を筒部の貫通孔に挿入した状態を示す図、図４（ｄ）は、スパウトの内部構造を示す部分破断図。
【図５】図５（ａ）は、本発明の実施の形態の第２の変形例によるスパウトを示す正面図、図５（ｂ）は、摘み部を通る平面においてスパウトを切断した場合を示す部分縦断面図、図５（ｃ）は、筒部から分離された後のキャップ部を筒部の貫通孔に挿入した状態を示す図、図５（ｄ）は、スパウトの内部構造を示す部分破断図。
【図６】図６（ａ）は、本発明の実施の形態の第３の変形例によるスパウトを示す正面図、図６（ｂ）は、摘み部を通る平面においてスパウトを切断した場合を示す部分縦断面図、図６（ｃ）は、筒部から分離された後のキャップ部を筒部の貫通孔に挿入した状態を示す図、図６（ｄ）は、スパウトの内部構造を示す部分破断図。
【図７】図７（ａ）は、本発明の実施の形態の第４の変形例によるスパウトを示す正面図、図７（ｂ）は、摘み部を通る平面においてスパウトを切断した場合を示す部分縦断面図、図７（ｃ）は、筒部から分離された後のキャップ部を筒部の貫通孔に挿入した状態を示す図、図７（ｄ）は、スパウトの内部構造を示す部分破断図。
【図８】図８は、スパウトが取り付けられる位置に関する変形例を示す正面図。
【発明を実施するための形態】
【００１４】
以下、図１乃至図３を参照して、本発明の実施の形態について説明する。なお、本件明細書に添付する図面においては、図示と理解のしやすさの便宜上、縮尺および縦横の寸法比等を、実物のそれらから適宜変更し誇張してある。
【００１５】
スパウト付き容器
図１は、本実施の形態によるスパウト付き容器を示す正面図である。スパウト付き容器は、流動性を有する内容物が収容される収容部１４を有する容器１０と、容器１０に取り付けられ、容器１０の収容部１４に収容された内容物を注出するための注出口を構成するスパウト３０と、を備えている。以下、容器１０およびスパウト３０についてそれぞれ説明する。
【００１６】
（容器）
容器１０は、流動性を有する内容物を収容するためのものである。流動性を有する限りにおいて、収容部１４に充填される内容物が特に限られることはない。例えば、収容部１４に充填されている内容物として、ジュース類、果汁類、ゼリー状飲料、栄養ドリンク剤等の飲料品や、液体状または粉末状の調味料、その他種々の飲食品、液体洗剤、シャンプー、歯磨き剤等を挙げることができる。
【００１７】
本実施の形態においては、容器１０が、軟包装材から構成された、いわゆるパウチである例について説明する。例えば容器１０は、表面を構成する表面フィルム１１と、裏面を構成する裏面フィルム１２と、必要に応じて用いられる底面フィルム１３とを熱溶着することによって構成されている。なお以下の説明および図面において、容器１０とは、特に断らない限り、内容物が収容される前の容器のことである。また特に断らない限り、容器１０を構成する表面フィルム１１および裏面フィルム１２は互いに対称的な形状を有している。すなわち、容器１０の表面側の構成要素と裏面側の構成要素とは略同一になっている。従って、以下の説明においては、主に表面側の形状について説明し、裏面側の形状の説明を省略することがある。
【００１８】
本実施の形態においては、容器１０が自立可能なタイプのものである例について説明する。例えば容器１０は、その底部２３にマチが形成された、いわゆる底ガゼット袋になっている。なお本明細書において、「底部」、「上部」、「上端部」、「上方」、「下端部」、「下方」や「側部」という用語は、容器１０が自立している状態を基準として容器１０およびスパウト３０の構成要素の位置や方向を表すものである。底部２３のマチは、例えば、表面フィルム１１と裏面フィルム１２との間に、上部に向かって凸となるように折り込まれた底面フィルム１３を挿入することによって形成される。図１において、折り込まれた底面フィルム１３の折り曲げ線が符号１３ａで示されている。
【００１９】
スパウト３０が取り付けられ得る限りにおいて、容器１０のタイプが特に限られることはない。例えば容器１０は、フィルムを熱溶着することによって得られるシール部が、容器１０の３つの縁部に沿って形成される、いわゆる三方シール袋であってもよい。また容器１０は、フィルムを熱溶着することによって得られるシール部が、容器１０の４つの縁部に沿って形成される、いわゆる四方シール袋であってもよい。
【００２０】
図１に示すように、容器１０は、底部シール部２３ａによって封止された底部２３と、側部シール部２２ａによって封止された一対の側部２２と、上部２１と、を備えている。上部２１は、容器１０に液体が充填される際に開口される開口部２１ｂとなっている。容器１０に液体が充填された後、上部２１は、熱溶着などによって封止される。図１において、液体が充填された後に熱溶着される部分が上部シール予定部として符号２１ａで示されている。また上部２１と側部２２との間には、上部２１および側部２２に対して傾斜する方向に延びる肩部シール部２４ａによって封止された肩部２４が形成されている。本実施の形態において、スパウト３０は肩部２４に取り付けられている。
【００２１】
（スパウト）
次に、スパウト３０について説明する。スパウト３０は、容器１０の肩部２４に取り付けられた筒部３２と、薄肉部３８を介して筒部３２の上端部に連結されたキャップ部４０と、を備えている。筒部３２の内部には、容器１０の収容部１４に連通する貫通孔が形成されている。従って、キャップ部４０を筒部３２に対して相対的に捩じって薄肉部３８を破断させ、これによってキャップ部４０を筒部３２から分離させることにより、容器１０に収容されている内容物を筒部３２から注出することが可能になる。すなわち、薄肉部３８が破断されることによってキャップ部４０が筒部３２から分離された状態において、筒部３２は、容器１０の注出口を構成する。図１においては、筒部３２のうち容器１０の肩部シール部２４ａによって覆われている部分が点線で示されている。
【００２２】
キャップ部４０は、キャップ部４０が筒部３２から分離され、これによって筒部３２の貫通孔が開放された後に、筒部３２の貫通孔を再び封止する、すなわち再封するためのものである。図１に示すように、キャップ部４０の外面には螺条（以下、第２の螺条とも称する）４３が形成されている。再封の際には、筒部３２の内面に形成された後述する螺条（以下、第１の螺条とも称する）にキャップ部４０の第２の螺条４３が係合するようにキャップ部４０が筒部３２の貫通孔に挿入される。
【００２３】
図１に示すように、キャップ部４０の外面には、摘み部５２が接続されていてもよい。摘み部５２は、キャップ部４０を捩って薄肉部３８を破断させる際に消費者によって摘まれ得る部分である。このような摘み部５２を設けることにより、容器１０が軟包装材から構成されている場合であっても、筒部３２に対してキャップ部４０をより安定に捩ることができる。
【００２４】
本実施の形態においては、図１に示すように、キャップ部４０の外面において対向する位置に一対の摘み部５２が設けられている。また、一対の摘み部５２はそれぞれ、筒部３２の軸方向に平行に延びる扁平状の形状を有している。しかしながら、キャップ部４０を捩る作業を容易化することができる限りにおいて、摘み部５２の具体的な構成が特に限られることはない。例えば、１つの摘み部５２のみがキャップ部４０の外面に接続されていてもよい。
【００２５】
図１において一点鎖線で示すように、スパウト３０は、筒部３２の下端部（容器１０側の端部）側において筒部３２に接続された取付部５０をさらに備えていてもよい。取付部５０は、容器１０の肩部シール部２４ａに沿って延びる細長い板状の部分として構成されている。この取付部５０は、スパウト３０を容器１０に取り付ける際に容器１０の表面フィルム１１および裏面フィルム１２に対して熱溶着される。
【００２６】
次に図２（ａ）、図２（ｂ）および図２（ｄ）を参照して、スパウト３０についてより詳細に説明する。図２（ａ）は、図１に示すスパウト３０を拡大して示す正面図である。図２（ｂ）は、一対の摘み部５２を通る平面においてスパウト３０の筒部３２、薄肉部３８およびキャップ部４０を切断した場合を示す部分縦断面図である。また図２（ｄ）は、スパウト３０の内部構造を示す部分破断図である。図２（ｄ）において、スパウト３０の中心線６０よりも右側には、一対の摘み部５２を通らない平面においてスパウト３０を切断した場合の縦断面図が示されている。また図２（ｄ）において、スパウト３０の中心線６０よりも左側には、摘み部５２が延びる方向に沿って見た場合のスパウト３０の正面図が示されている。
【００２７】
（筒部）
図２（ｂ）および図２（ｄ）に示すように、筒部３２の貫通孔３６は、筒部３２の内面３３によって画定されており、この内面３３には、上述のキャップ部４０の第２の螺条４３に係合する第１の螺条３５が形成されている。ここでは、第１の螺条３５が雌ねじであり、第２の螺条４３が雄ねじである例が示されているが、第１の螺条３５と第２の螺条４３とが互いに係合可能である限りにおいて、螺条の種類が特に限られることはない。例えば、第１の螺条３５が雄ねじであり、第２の螺条４３が雌ねじであってもよい。
【００２８】
図２（ｄ）において、符号３２ａは、筒部３２の上端部を表し、符号３２ｂは、筒部３２の下端部を表している。図２（ｄ）に示すように、筒部３２の内面３３および外面３４は、上端部３２ａと下端部３２ｂとの間で中心線６０にほぼ平行に延びている。
【００２９】
（薄肉部）
図２（ｂ）および図２（ｄ）に示す例において、薄肉部３８は、筒部３２の上端部３２ａにおいて筒部３２の内面３３とキャップ部４０の外面４２との間に形成された環状の部分として構成されている。この場合、筒部３２の軸方向に沿った方向における薄肉部３８の寸法は、軸方向に直交する方向における筒部３２やキャップ部４０の寸法に比べて小さくなっている。なお、キャップ部４０を筒部３２に対して捩ることによって薄肉部３８が容易に破断され得る限りにおいて、薄肉部３８の具体的な構成が特に限られることはない。例えば、図示はしないが、薄肉部３８は、筒部３２の外面３４とキャップ部４０の外面４２との間に形成された環状のくびれ部として構成されていてもよい。
【００３０】
（キャップ部）
図２（ｄ）において、符号４０ａは、キャップ部４０の近位端部を表し、符号４０ｂは、キャップ部４０の遠位端部を表している。近位端部４０ａは、キャップ部４０の端部のうち、キャップ部４０が筒部３２から分離される前の状態において筒部３２側に位置する端部であって、薄肉部３８に接続されている端部のことである。また遠位端部４０ｂは、キャップ部４０の端部のうち近位端部４０ａとは反対側に位置する端部のことである。図２（ｂ）および図２（ｄ）に示すように、近位端部４０ａと遠位端部４０ｂとの間においてキャップ部４０の内部には、筒部３２の貫通孔３６に連通する空間が画定されている。また、キャップ部４０の内部の空間は、キャップ部４０の遠位端部４０ｂに設けられた閉鎖面４４によって閉鎖されている。
【００３１】
図２（ｂ）および図２（ｄ）において、第２の螺条４３が形成されるキャップ部４０の外面が符号４２で表されており、外面４２の反対側に位置する内面が符号４１で表されている。また、キャップ部４０のうち摘み部５２が接続されている部分（以下、接続部とも称する）が符号４５で表されている。図２（ｂ）に示すように、本実施の形態において、接続部４５は、第２の螺条４３よりも筒部３２から近い位置にある。この場合、後述するように、キャップ部４０が筒部３２から分離された後、遠位端部４０ｂが筒部３２側に位置するようにキャップ部４０を反転させてからキャップ部４０を筒部３２の貫通孔３６に挿入することになる。
【００３２】
次に、容器１０およびスパウト３０を構成する層構成や材料について説明する。はじめに図３を参照して、フィルム１１，１２，１３の層構成について説明する。図３に示すように、フィルム１１，１２，１３は、基材層１７と、基材層１７上に設けられた熱可塑性樹脂層１８と、を含んでいる。図３に示す例においては、基材層１７が、各フィルム１１，１２，１３の外面１１ｘ、１２ｘ，１３ｘを構成しており、熱可塑性樹脂層１８が、各フィルム１１，１２，１３の内面１１ｙ、１２ｙ，１３ｙを構成している。基材層１７には、絵柄などの印刷が施されていてもよい。
【００３３】
基材層１７を構成する材料としては、例えばＰＥＴやナイロンを用いることができる。基材層１７によって、外面１１ｘ、１２ｘ，１３ｘにおける高い印刷適性を確保することができる。また基材層１７は、熱溶着時の高い耐熱性を有している。
熱可塑性樹脂層１８を構成する材料としては、例えば、ポリエチレンやポリプロピレンなどを用いることができる。フィルム１１，１２，１３の厚みは、例えば８０〜２００μｍの範囲内になっている。
【００３４】
なお図示はしないが、フィルム１１，１２，１３は、基材層１７と熱可塑性樹脂層１８との間に配置される中間層をさらに含んでいてもよい。中間層としては、水蒸気その他のガスバリア性、遮光性、各種の機械的強度など、必要とされる性能に応じて、適切なものが選択され得る。例えば、中間層として、金属層や、金属または金属酸化物の蒸着層などが設けられ得る。このような中間層を設けることにより、酸素や水蒸気が容器１０の内部に進入することを抑制することができる。また中間層として、延伸ナイロンフィルムを設けてもよい。この場合、容器１０の耐突き刺し性を高めることができる。
【００３５】
上述の筒部３２、薄肉部３８およびキャップ部４０を備える上述のスパウト３０を構成する材料としては、表面フィルム１１の内面１１ｙおよび裏面フィルム１２の内面１２ｙに熱溶着され得る材料が用いられる。例えば、ポリエチレン、ポリプロピレンなどの熱可塑性樹脂が用いられる。製造コストを考慮すると、金型を用いた熱可塑性樹脂の射出成形などによって、筒部３２、薄肉部３８およびキャップ部４０が一体的に形成されていることが好ましい。
【００３６】
好ましくは、スパウト３０を構成する熱可塑性樹脂には、静電気防止剤が分散されている。これによって、大気中の塵などがスパウト３０に付着することを抑制することができる。例えば、スパウト３０が取り付けられたスパウト付き容器１０が小売店の商品棚などに陳列されている間にキャップ部４０に塵が付着することを抑制することができる。これによって、容器１０に収容されている内容物が汚染されてしまうことを抑制することができる。静電気防止剤としては例えば、高級脂肪酸エステルを含むものを用いることができる。高級脂肪酸エステルの例としては、モノグリセリン脂肪酸エステルを挙げることができる。スパウト３０を構成する熱可塑性樹脂における静電気防止剤の含有比率は、例えば０．２〜０．４重量％の範囲内に設定される。
【００３７】
次に、このような構成からなる本実施の形態の作用および効果について説明する。ここでは、キャップ部４０を用いた容器１０の再封方法について、図２（ｃ）を参照して説明する。図２（ｃ）は、筒部３２から分離された後のキャップ部４０を筒部３２の貫通孔３６に挿入した状態を示す部分破断図である。
【００３８】
はじめに、収容部１４に内容物を充填するとともに開口部２１ｂを封止することによって得られたスパウト付き容器１０を準備する。次に、摘み部５２を利用してキャップ部４０を捩ることによって薄肉部３８を破断し、キャップ部４０を筒部３２から分離する。その後、遠位端部４０ｂが筒部３２側を向くようにキャップ部４０を上下反転させ、そしてキャップ部４０を遠位端部４０ｂ側から筒部３２の貫通孔３６へ挿入する。次に、キャップ部４０の外面４２に形成された第２の螺条４３が筒部３２の内面３３に形成された第１の螺条３５に螺合するよう、摘み部５２を利用してキャップ部４０を回転させる。これによって、図２（ｃ）に示すように、キャップ部４０によって筒部３２を安定に再封することができる。
【００３９】
ところで本実施の形態においては、キャップ部４０が分離される前の状態のスパウト３０において、筒部３２の内面３３に形成され第１の螺条３５に係合する第２の螺条４３が、薄肉部３８を介して筒部３２の上端部３２ａに連結されたキャップ部４０の外面４２に形成されている。このため、スパウト３０が取り付けられたスパウト付き容器１０が小売店に陳列されているとき、キャップ部４０の第２の螺条４３に消費者の注意を集めることができる。これによって、スパウト３０が安定した再封機能を有しているということをより確実に消費者に認識させることができる。
【００４０】
また本実施の形態においては、キャップ部４０の外面４２が筒部３２の貫通孔３６に挿入される。この場合、再封された状態の容器１０が倒れたりして内容物が筒部３２の位置にまで到達するとき、キャップ部４０の外面４２が内容物に接触することになる。すなわち、キャップ部４０の面のうち内容物が付着する可能性があるのは、内面４１ではなく外面４２である。このため、キャップ部４０の外面４２を拭うことにより、キャップ部４０に付着した内容物を容易に除去することができ、これによって、衛生性を維持しやすくすることができる。
【００４１】
ところで、所定のボトルへ内容物を詰め替えるという用途において容器１０が利用される場合、筒部３２の外面３４に螺条が形成されるタイプのスパウトが取り付けられた容器１０においては、筒部３２をボトルの口部に挿入する際に筒部３２の外面３４の螺条がボトルの口部に引っ掛かってしまい、これによって詰め替え作業が妨げられてしまうことが考えられる。これに対して本実施の形態によれば、筒部３２の第１の螺条３５は外面３４ではなく内面３３に形成されており、取付部５０の上端から筒部３２の上端部３２ａに向かう方向における筒部３２の外面３４は直線状に延びている。このため、筒部３２の外面３４に螺条が形成されるタイプのスパウトに比べて、筒部３２の外面３４をより平坦に構成することができる。このことにより、詰め替え作業をよりスムーズに実施することが可能になる。
【００４２】
なお、ボトルの口部にスパウト付き容器１０の筒部３２の一部を引っ掛けて、スパウト付き容器１０の姿勢を安定させることが望まれる場合、図示はしないが、筒部３２の外面３４に突起部が形成されていてもよい。
【００４３】
変形例
なお、上述した実施の形態に対して様々な変更を加えることが可能である。以下、必要に応じて図面を参照しながら、変形例について説明する。以下の説明および以下の説明で用いる図面では、上述した実施の形態と同様に構成され得る部分について、上述の実施の形態における対応する部分に対して用いた符号と同一の符号を用いることとし、重複する説明を省略する。また、上述した実施の形態において得られる作用効果が変形例においても得られることが明らかである場合、その説明を省略することもある。
【００４４】
（第１の変形例）
以下、図４（ａ）〜（ｄ）を参照して、本発明の実施の形態の第１の変形例について説明する。図４（ａ）は、第１の変形例によるスパウト３０を示す正面図である。図４（ｂ）は、一対の摘み部５２を通る平面においてスパウト３０の筒部３２、薄肉部３８およびキャップ部４０を切断した場合を示す部分縦断面図である。図４（ｃ）は、筒部３２から分離された後のキャップ部４０を筒部３２の貫通孔３６に挿入した状態を示す部分破断図である。また図４（ｄ）は、スパウト３０の内部構造を示す部分破断図である。
【００４５】
上述の本実施の形態においては、摘み部５２の上端部が、キャップ部４０の外面４２に形成された第２の螺条４３の上端部よりも下方に位置する例を示した。しかしながら、これに限られることはなく、図４（ａ）および図４（ｂ）に示すように、摘み部５２の上端部が、キャップ部４０の外面４２に形成された第２の螺条４３の上端部よりも上方に位置していてもよい。言い換えると、中心線６０の方向における第２の螺条４３の延在範囲が、摘み部５２の延在範囲に含まれていてもよい。これによって、中心線６０の方向における摘み部５２の寸法を十分に確保しながら、中心線６０の方向におけるキャップ部４０の寸法を低減することができる。このようにキャップ部４０をよりコンパクトに構成することにより、スパウト３０の使いやすさを高めることができる。また、スパウト３０を形成することに要する樹脂材料の使用量を低減することができる。
【００４６】
本変形例において、好ましくは図４（ｂ）に示すように、中心線６０の方向において、摘み部５２の下端部の位置とキャップ部４０の近位端部４０ａの位置とが一致している。この場合、筒部３２から分離された後のキャップ部４０を所定の平面上に載置する際、キャップ部４０の近位端部４０ａだけでなく摘み部５２の下端部も平面に接するようになる。これによって、載置の安定性を向上させることができる。
【００４７】
（第２の変形例）
以下、図５（ａ）〜（ｄ）を参照して、本発明の実施の形態の第２の変形例について説明する。図５（ａ）は、第２の変形例によるスパウト３０を示す正面図である。図５（ｂ）は、一対の摘み部５２を通る平面においてスパウト３０の筒部３２、薄肉部３８およびキャップ部４０を切断した場合を示す部分縦断面図である。図５（ｃ）は、筒部３２から分離された後のキャップ部４０を筒部３２の貫通孔３６に挿入した状態を示す部分破断図である。また図５（ｄ）は、スパウト３０の内部構造を示す部分破断図である。
【００４８】
上述の本実施の形態および第１の変形例においては、キャップ部４０を筒部３２に連結する部材が薄肉部３８のみである例を示した。しかしながら、これに限られることはなく、図５（ａ）および図５（ｂ）に示すように、摘み部５２の例えば下端部が取付部５０に接続されていてもよい。すなわち、摘み部５２および取付部５０を介してキャップ部４０が筒部３２に連結されていてもよい。これによって、輸送時に生じる振動や衝撃などに起因して薄肉部３８に生じる応力を緩和することができる。このことにより、意図しないタイミングで薄肉部３８が破断してしまうことを抑制することができる。
【００４９】
（第３の変形例）
以下、図６（ａ）〜（ｄ）を参照して、本発明の実施の形態の第３の変形例について説明する。図６（ａ）は、第３の変形例によるスパウト３０を示す正面図である。図６（ｂ）は、一対の摘み部５２を通る平面においてスパウト３０の筒部３２、薄肉部３８およびキャップ部４０を切断した場合を示す部分縦断面図である。図６（ｃ）は、筒部３２から分離された後のキャップ部４０を筒部３２の貫通孔３６に挿入した状態を示す部分破断図である。また図６（ｄ）は、スパウト３０の内部構造を示す部分破断図である。
【００５０】
上述の本実施の形態、第１の変形例および第２の変形例においては、摘み部５２が接続されるキャップ部４０の接続部４５が、第２の螺条４３よりも筒部３２から近い位置にある例を示した。しかしながら、これに限られることはなく、図６（ａ）および図６（ｂ）に示すように、キャップ部４０のうち摘み部５２が接続される接続部４５が、第２の螺条４３よりも筒部３２から遠い位置にあってもよい。この場合、図６（ａ）〜図６（ｄ）に示すように、摘み部５２を利用してキャップ部４０を捩ることによって薄肉部３８を破断し、キャップ部４０を筒部３２から分離した後、キャップ部４０は近位端部４０ａ側から筒部３２の貫通孔３６へ挿入される。すなわち、上述の本実施の形態、第１の変形例および第２の変形例とは異なり、キャップ部４０を筒部３２から分離した後にキャップ部４０を上下反転させる必要がない。
【００５１】
本変形例において、好ましくは図６（ｂ）に示すように、中心線６０の方向において、摘み部５２の上端部の位置とキャップ部４０の遠位端部４０ｂの位置とが一致している。また、キャップ部４０の閉鎖面４４の外面を平坦面にすることが好ましい。この場合、筒部３２から分離された後のキャップ部４０を所定の平面上に載置する際、キャップ部４０の遠位端部４０ｂだけでなく摘み部５２の上端部も平面に接するようになる。これによって、載置の安定性を向上させることができる。
【００５２】
（第４の変形例）
以下、図７（ａ）〜（ｄ）を参照して、本発明の実施の形態の第４の変形例について説明する。図７（ａ）は、第４の変形例によるスパウト３０を示す正面図である。図７（ｂ）は、一対の摘み部５２を通る平面においてスパウト３０の筒部３２、薄肉部３８およびキャップ部４０を切断した場合を示す部分縦断面図である。図７（ｃ）は、筒部３２から分離された後のキャップ部４０を筒部３２の貫通孔３６に挿入した状態を示す部分破断図である。また図７（ｄ）は、スパウト３０の内部構造を示す部分破断図である。
【００５３】
上述の本実施の形態および各変形例においては、閉鎖面４４がキャップ部４０の遠位端部４０ｂ側に設けられており、このためキャップ部４０が筒部３２から分離される前の状態においてキャップ部４０の内部の空間が筒部３２の貫通孔３６に連通している例を示した。しかしながら、これに限られることはなく、図７（ｂ）に示すように、閉鎖面４４がキャップ部４０の近位端部４０ａ側に設けられていてもよい。この場合、キャップ部４０が筒部３２から分離される前の状態において、容器１０に収容されている内容物がキャップ部４０の内面４１に接することがない。このため、上述の本実施の形態および各変形例の場合に比べて、スパウト３０に付着する内容物の量を低減することができる。
【００５４】
なお本変形例においては、スパウト付き容器１０が小売店などにおいて陳列されている間に、キャップ部４０の内部の空間に埃などが入り込んでしまうことが考えられる。従って、埃の付着や侵入を防ぐという観点からは、上述の本実施の形態および各変形例の場合のように、閉鎖面４４がキャップ部４０の遠位端部４０ｂ側に設けられている形態の方が有利である。
【００５５】
また本変形例においては、閉鎖面４４がキャップ部４０の近位端部４０ａに設けられる例を示したが、閉鎖面４４の位置が特に限られることはない。例えば閉鎖面４４は、キャップ部４０の近位端部４０ａと遠位端部４０ｂとの中間に設けられていてもよい。
【００５６】
（その他の変形例）
上述の本実施の形態および各変形例においては、上部２１および側部２２に対して傾斜する方向に延びる肩部シール部２４ａによって封止された肩部２４にスパウト３０が取り付けられる例を示した。しかしながら、これに限られることはなく、図８に示すように、上部シール部２１ｃによって封止された上部２１にスパウト３０を取り付けてもよい。
【００５７】
また上述の本実施の形態および各変形例においては、容器１０が、軟包装材から構成された、いわゆるパウチである例を示した。しかしながら、上述のスパウト３０が取り付けられ得る限りにおいて、容器１０の種類が特に限られることはない。例えば容器１０は、歯磨き剤などが収容されるチューブであってもよい。また容器１０は、紙を含む基材によって構成された、いわゆる紙容器であってもよい。
【００５８】
なお、上述した実施の形態に対するいくつかの変形例を説明してきたが、当然に、複数の変形例を適宜組み合わせて適用することも可能である。
【符号の説明】
【００５９】
１０  容器
１４  収容部
２１  上部
２２    側部
２３    底部
２４    肩部
３０  スパウト
３２  筒部
３３  内面
３４  外面
３５  第１の螺条
３６  貫通孔
３８  薄肉部
４０  キャップ部
４１  内面
４２  外面
４３  第２の螺条
４４  閉鎖面
４５  接続部
５０  取付部
５２  摘み部
６０  中心線
【図１】
2016088614.tif 000003
【図２】
2016088614.tif 000004
【図３】
2016088614.tif 000005
【図４】
2016088614.tif 000006
【図５】
2016088614.tif 000007
【図６】
2016088614.tif 000008
【図７】
2016088614.tif 000009
【図８】
2016088614.tif 000010